(57)【要約】      （修正有）【課題】使用者が適切な作業モードを便利に選択でき、灼熱感を与えずに照射治療できるハンドヘルドミリ波照射装置を提供する。【解決手段】ハンドヘルドミリ波照射装置は、把持部１１０と、照射部１２０と、操作制御部１００ｂと、を有する枠体１００と、枠体１００内部に位置する少なくとも１つの回路基板１０１と、少なくとも１つの回路基板１０１に給電するためのバッテリーユニット１０２と、を備えている。把持部１１０は使用者が把持しやすくするために用い、照射部１２０は人体の選択領域に照準を合わせてミリ波を照射操作するために用い、且つ操作制御部１００ｂは使用者が押すことでハンドヘルドミリ波照射装置の給電及びミリ波照射操作の作業モードを制御するために用いる。【選択図】図１
0003234667.tif 000002
【実用新案登録請求の範囲】
【請求項１】
把持部と、照射部と、操作制御部と、を有する枠体と、
前記枠体内部に設置する少なくとも１つの回路基板と、少なくとも１つの前記回路基板に給電するためのバッテリーユニットと、を備え、
前記把持部は使用者が把持可能であり、前記照射部は人体の選択領域に照準を合わせてミリ波を照射操作可能であり、且つ前記操作制御部は使用者が押すことで前記ハンドヘルドミリ波照射装置の給電及び前記ミリ波照射操作の作業モードの制御が可能であることを特徴とするハンドヘルドミリ波照射装置。
【請求項２】
前記作業モードはパワーの大きさ、作用時間、または作用方式を含むことを特徴とする請求項１に記載のハンドヘルドミリ波照射装置。
【請求項３】
前記作用方式は持続的照射または断続的照射であることを特徴とする請求項２に記載のハンドヘルドミリ波照射装置。
【請求項４】
前記枠体は、外部電源に接続して前記バッテリーユニットに対して充電を行う接続ポートを更に有することを特徴とする請求項１に記載のハンドヘルドミリ波照射装置。
【請求項５】
前記接続ポートはUSBインターフェースであることを特徴とする請求項４に記載のハンドヘルドミリ波照射装置。
【請求項６】
前記操作制御部はボタン装置或いはタッチ制御装置を備えていることを特徴とする請求項１に記載のハンドヘルドミリ波照射装置。
【請求項７】
少なくとも１つの前記回路基板は、
ミリ波放射ユニットと、高周波操作ユニットと、少なくとも１つのアンテナユニットと、中央処理ユニットと、中央処理ユニットとを有し、前記ミリ波放射ユニットは前記高周波操作ユニットと少なくとも１つの前記アンテナユニットとの間に接続し、前記高周波操作ユニットが生成する高周波信号に基づいて少なくとも１つの前記アンテナユニットを駆動してミリ波放射を生成し、前記中央処理ユニットは前記高周波操作ユニット及び前記操作制御部に接続して前記操作制御部の命令に基づいて前記高周波操作ユニットを駆動して前記作業モードを決定することを特徴とする請求項１に記載のハンドヘルドミリ波照射装置。
【請求項８】
少なくとも１つの前記回路基板は、
前記中央処理ユニットに接続し、外部装置とのワイヤレス通信を行って前記中央処理ユニットが前記外部装置による操作制御を受けるまたは操作記録を前記外部装置に伝送するための通信ユニットを更に有することを特徴とする請求項７に記載のハンドヘルドミリ波照射装置。
【請求項９】
前記通信ユニットはWiFi通信ユニットまたは近距離無線通信ユニットであることを特徴とする請求項８に記載のハンドヘルドミリ波照射装置。
【請求項１０】
前記バッテリーユニットはバッテリー及び電源ユニットを有し、前記電源ユニットは前記接続ポートと前記バッテリーとの間に接続し、直流電圧を生成して少なくとも１つの前記回路基板に対する給電を行い、且つ外部電源を利用して前記バッテリーに対する充電を行うことを特徴とする請求項４に記載のハンドヘルドミリ波照射装置。
【考案の詳細な説明】
【技術分野】
【０００１】
本考案は、人体治療照射装置に関し、更に詳しくは、ハンドヘルド（手持式）ミリ波照射装置に関する。
【背景技術】
【０００２】
現在の理学療法分野においてよくある設備として、超音波設備、遠赤外線照射設備、中周干渉波治療器、及び経皮的電気神経刺激装置等がある。
【考案の概要】
【考案が解決しようとする課題】
【０００３】
しかしながら、前述した従来の技術では、これら前記治療設備は全て一定の効果があるものの、その治療過程では、灼熱感及び筋痙攣のような不快感を生じることがあった。また、これら前記治療設備は通常体積が大きいため携帯に不便である。
【０００４】
そこで、本考案者は上記の欠点が改善可能と考え、鋭意検討を重ねた結果、合理的設計で上記の課題を効果的に改善する本考案の提案に至った。
【０００５】
本考案は、以上の従来技術の課題を解決する為になされたものである。即ち、本考案は、使用者が身体の任意の部位に便利に照射可能にするハンドヘルドミリ波照射装置を提供することを主目的とする。
【０００６】
また、本考案の他の目的は、使用者が適切な作業モードを便利に選択し、照射の需要を満たすハンドヘルドミリ波照射装置を提供する。
【０００７】
また、本考案のさらなる他の目的は、身体に灼熱感を与えずに照射治療作用を提供するハンドヘルドミリ波照射装置を提供する。
【課題を解決するための手段】
【０００８】
上記課題を解決するために、本考案のある態様のハンドヘルドミリ波照射装置は、
把持部と、照射部と、操作制御部と、を有する枠体と、前記枠体内部に設置する少なくとも１つの回路基板と、少なくとも１つの前記回路基板に給電するためのバッテリーユニットと、を備え、
前記把持部は使用者が把持可能であり、前記照射部は人体の選択領域に照準を合わせてミリ波を照射操作可能であり、且つ前記操作制御部は使用者が押すことで前記ハンドヘルドミリ波照射装置の給電及び前記ミリ波照射操作の作業モードの制御が可能である。
【０００９】
本考案の好適例において、前記作業モードはパワーの大きさ、作用時間、または作用方式を決定する。
【００１０】
本考案の好適例において、前記作用方式は持続的照射或いは断続的照射である。
【００１１】
本考案の好適例において、前記枠体は、外部電源に接続して前記バッテリーユニットに対する充電を行う接続ポートを更に有する。
【００１２】
本考案の好適例において、前記接続ポートはUSBインターフェースである。
【００１３】
本考案の好適例において、前記操作制御部はボタン装置またはタッチ制御装置を備えている。
【００１４】
本考案の好適例において、少なくとも１つの前記回路基板は、ミリ波放射ユニットと、高周波操作ユニットと、少なくとも１つのアンテナユニットと、中央処理ユニットと、中央処理ユニットとを有し、前記ミリ波放射ユニットは前記高周波操作ユニットと少なくとも１つの前記アンテナユニットとの間に接続し、前記高周波操作ユニットが生成する高周波信号に基づいて少なくとも１つの前記アンテナユニットを駆動してミリ波放射を生成し、前記中央処理ユニットは前記高周波操作ユニット及び前記操作制御部に接続して前記操作制御部の命令に基づいて前記高周波操作ユニットを駆動して前記作業モードを決定する。
【００１５】
本考案の好適例において、少なくとも１つの前記回路基板は、前記中央処理ユニットに接続し、外部装置とのワイヤレス通信を行って前記中央処理ユニットが前記外部装置による操作制御を受ける、または操作記録を前記外部装置に伝送するための通信ユニットを更に有する。
【００１６】
本考案の好適例において、前記通信ユニットはWiFi通信ユニットまたはブルートゥース（登録商標）通信ユニット（近距離無線通信ユニット）である。
【００１７】
本考案の好適例において、前記バッテリーユニットはバッテリー及び電源ユニットを有し、前記電源ユニットは前記接続ポートと前記バッテリーとの間に接続し、直流電圧を生成して少なくとも１つの前記回路基板に対する給電を行い、且つ外部電源を利用して前記バッテリーに対する充電を行う。
【図面の簡単な説明】
【００１８】
【図１】本考案の一実施形態に係るハンドヘルドミリ波照射装置を示す外観概略図である。
【図２】図１に示す一実施形態のハンドヘルドミリ波照射装置を示す展開図である。
【図３】図１に示すハンドヘルドミリ波照射装置を示す機能ブロック図である。
【考案を実施するための形態】
【００１９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００２０】
以下、本考案の実施形態について、図面を参照しながら説明する。まず、本考案の原理は、ミリ波を人体に照射することで刺激細胞が共鳴による生物学的非熱効果を発生させ、鍼灸に類似する治療効果を提供する。前記療法は発熱による治療効果に頼らないため、火傷の問題が生じない。
【００２１】
ミリ波とは1mm乃至10mmの範囲の波長の電磁波を指し、生体と相互作用して特殊な生物学的効果を発生させる。具体的には、ミリ波帯内で発生させる発振周波数は人体の大分子細胞の固有周波数または特性周波数に近く、両者の相互作用により発生する共鳴が細胞の活性及び品質を顕著に高め、これにより人体の免疫システムの活力を励起し、体内の病原菌の生長を効果的に低下または抑制する。
【００２２】
図１は本考案の一実施形態に係るハンドヘルドミリ波照射装置を示す外観概略図である。図２は図１に示す一実施形態のハンドヘルドミリ波照射装置を示す展開図である。図３は図１に示すハンドヘルドミリ波照射装置を示す機能ブロック図である。
【００２３】
図１と図２に示されるように、本考案のハンドヘルドミリ波照射装置は枠体１００を備え、前記枠体１００は把持部１１０と、照射部１２０と、続ポート１００ａと、操作制御部１００ｂとを有し、且つ前記枠体１００内部には少なくとも１つの回路基板１０１及び少なくとも１つの前記回路基板１０１に給電するためのバッテリーユニット１０２を有する。
【００２４】
把持部１１０は使用者が把持しやすくするために用いる。
【００２５】
照射部１２０は人体の選択領域に照準を合わせてミリ波照射操作を行うために用いる。
【００２６】
接続ポート１００ａは外部電源に接続してバッテリーユニット１０２に対し充電を行うために用いる。可能な実施例において、接続ポート１００ａはUSB電源に接続するためのUSBインターフェースである。
【００２７】
操作制御部１００ｂは、使用者が押すことで前記ハンドヘルドミリ波照射装置の給電及びその作業モードを制御するためのボタン装置またはタッチ制御装置を備えている。前記作業モードはパワーの大きさ、作用時間、及び作用方式（例えば、持続照射或いは断続的照射）を決定するために用いる。
【００２８】
また、図３に示されるように、少なくとも１つの前記回路基板１０１は、ミリ波放射ユニット１０１ａと、高周波操作ユニット１０１ｂと、中央処理ユニット１０１ｃと、少なくとも１つのアンテナユニット１０１ｄと、通信ユニット１０１ｅとを有し、且つこれらにはバッテリーユニット１０２により給電する。バッテリーユニット１０２はバッテリー１０２ａ及び電源ユニット１０２ｂを有し、前記電源ユニット１０２ｂは接続ポート１００とバッテリー１０２ａとの間に接続し、直流電圧を発生させて少なくとも１つの前記回路基板１０１に対し給電を行い、且つ外部電源を利用してバッテリー１０２ａに対する充電を行う。
【００２９】
ミリ波放射ユニット１０１ａは高周波操作ユニット１０１ｂと少なくとも１つの前記アンテナユニット１０１ｄとの間に接続し、高周波操作ユニット１０１ｂが発生させる高周波信号に基づいて少なくとも１つの前記アンテナユニット１０１ｄを駆動し、ミリ波放射を生成する。
【００３０】
中央処理ユニット１０１ｃは高周波操作ユニット１０１ｂ及び操作制御部１００ｂに接続し、操作制御部１００ｂの命令に基づいて前記作業モードを決定し、使用者の操作に基づいて前記ミリ波放射のパワー、作用時間、及び作用方式（例えば、持続照射或いは断続的照射）を決定する。
【００３１】
また、中央処理ユニット１０１ｃは通信ユニット１０１ｅを介して外部装置とのワイヤレス通信を行い、前記外部装置による操作制御を受けるか、操作記録を前記外部装置に伝送する。通信ユニット１０１はWiFi通信ユニット或いは近距離無線通信ユニットであり、前記外部装置は前記通信ユニット１０１と直接ワイヤレス通信を行うか、ネットワークを通して前記通信ユニット１０１とのワイヤレス通信を行う。
【００３２】
前述の設計による本考案の利点は下記の通りである。
１．本考案に係るハンドヘルドミリ波照射装置は使用者が身体の任意の部位に便利に照射可能である。
２．本考案に係るハンドヘルドミリ波照射装置は使用者が適切な作業モードを便利に選択し、照射の需要を満たす。
３．本考案に係るハンドヘルドミリ波照射装置は身体に灼熱感を与えずに照射治療作用を提供する。
【００３３】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００３４】
１００  枠体
１００ａ  接続ポート
１００ｂ  操作制御部
１０１  回路基板
１０１ａ  ミリ波放射ユニット
１０１ｂ  高周波操作ユニット
１０１ｃ  中央処理ユニット
１０１ｄ  アンテナユニット
１０１ｅ  通信ユニット
１０２  バッテリーユニット
１０２ａ  バッテリー
１０２ｂ  電源ユニット
１１０  把持部
１２０  照射部
【図１】
0003234667.tif 000003
【図２】
0003234667.tif 000004
【図３】
0003234667.tif 000005